(57)【要約】      （修正有）【課題】ケーシングの側壁より回路板を引き出すことが可能な振動モーターを提供する。【解決手段】振動モーター１００は、収容空間を有するケーシング１１、１３と、前記ケーシングに接続されている回路板３と、前記収容空間内に収容されているコイル２と、磁石鋼アッセンブリ４１、４３とを備え、前記コイルと前記磁石鋼アッセンブリとは対向して間隔を置いて設置され、前記コイルは、リード線２１１を有し、前記ケーシングは、若干の側壁１１３を備え、前記ケーシングの前記リード線に近い側壁が前記収容空間から離れる方向へ延在して支持プラットホーム１１３１を形成し、前記回路板が全体的に前記支持プラットホームの表面に設置され、前記リード線が前記支持プラットホームまで延在して前記回路板に電気的に接続されている。【選択図】図１
2017022962.tif 000002
【特許請求の範囲】
【請求項１】
収容空間を有するケーシングと、前記ケーシングに接続されている回路板と、前記収容空間内に収容されているコイル及び磁石鋼アッセンブリとを備え、前記コイルと前記磁石鋼アッセンブリとは対向して間隔を置いて設置され、前記コイルはリード線を有し、前記ケーシングは若干の側壁を備え、前記ケーシングにおける前記リード線に近い側壁が前記収容空間から離れる方向へ延在して支持プラットホームを形成し、前記回路板が全体的に前記支持プラットホームの表面に設置され、前記リード線が前記支持プラットホームまで延在して前記回路板に電気的に接続されていることを特徴とする振動モーター。
【請求項２】
前記リード線は、前記支持プラットホームが設けられている側壁に密着して設置されると共に、前記回路板の表面にスポット溶接されていることを特徴とする請求項１に記載の振動モーター。
【請求項３】
前記磁石鋼アッセンブリは、第一の磁石鋼セットと、前記第一の磁石鋼セットを収容するための第一の重量ブロックと、第二の磁石鋼セットと、前記第二の磁石鋼セットを収容するための第二の重量ブロックとを含み、前記第一の重量ブロックには凹溝が設けられ、前記凹溝は底部及び前記底部の両側から延在している側壁を有し、前記凹溝の底部に第一の貫通孔が形成され、前記第一の磁石鋼セットは、前記第一の貫通孔内に設置され、
前記第二の重量ブロックは、前記凹溝の両側壁の間に嵌設され、前記第二の重量ブロックと前記凹溝の底部との間に一定の距離が置かれ、且つ第二の貫通孔が前記第二の重量ブロックに形成され、前記第二の磁石鋼セットは、前記第二の貫通孔内に設置されていることを特徴とする請求項１に記載の振動モーター。
【請求項４】
前記コイルは、前記第一の重量ブロックと第二の重量ブロックとの間に設置され、且つそれぞれが前記第一の磁石鋼セット及び第二の磁石鋼セットと対向して間隔を置いて設置されていることを特徴とする請求項３に記載の振動モーター。
【請求項５】
前記第二の重量ブロックにおける前記コイルのリード線に対応する位置に前記リード線を避けるための回避部が設けられていることを特徴とする請求項３に記載の振動モーター。
【請求項６】
前記第二の重量ブロックは、それぞれ前記凹溝の両側壁に係合される第一の側辺及び前記２つの第一の側辺に接続されている第二の側辺を有し、前記回避部は、前記リード線の位置に対応する第二の側辺が前記第二の貫通孔の方向へ凹んで形成された凹み部であることを特徴とする請求項５に記載の振動モーター。
【請求項７】
前記回路板のサイズが前記支持プラットホームのサイズより小さいことを特徴とする請求項１に記載の振動モーター。
【請求項８】
前記支持プラットホームが前記ケーシングの側壁に直交していることを特徴とする請求項１に記載の振動モーター。
【発明の詳細な説明】
【技術分野】
【０００１】
本発明は振動モーターに関し、特に携帯式の消耗性電子製品に適用される振動モーターに関する。
【背景技術】
【０００２】
電子技術の発展と伴い、携帯式の消耗性電子製品、例えば、携帯、携帯ゲーム機、ナビゲーション装置又は携帯マルチメディア娯楽設備などは、益々多くの人々に愛されて流行っている。これらの電子製品では、一般的に振動モーターが利用されてシステムフィードバック、例えば携帯の着信表示、メッセージ表示、ナビゲーション表示、ゲーム機の振動フィードバックなどに組み込まれている。
【０００３】
係る技術の振動モーターでは、回路板が底板の表面に密着され、コイルが回路板の頂部に貼り付けられ、且つ回路板によって外部の回路に電気的に接続される。しかし、振動モーターの底板の表面から回路板を引き出す構成は、側壁から回路板を引き出すという顧客による設計要望を満たしていない。
【０００４】
従って、前記欠陥を克服するために、新たな振動モーターを提供する必要がある。
【発明の概要】
【発明が解決しようとする課題】
【０００５】
本発明は、係る技術の振動モーターの回路板の引き出す形式が側壁から回路板を引き出すという顧客による設計要望に合わない、という課題を解決するために、一種の振動モーターを提供するものである。
【課題を解決するための手段】
【０００６】
前記振動モーターは、収容空間を有するケーシングと、前記ケーシングに接続されている回路板と、前記収容空間内に収容されているコイル及び磁石鋼アッセンブリとを備え、前記コイルと前記磁石鋼アッセンブリとは対向して間隔を置いて設置され、前記コイルは、リード線を有し、前記ケーシングは、若干の側壁を備え、前記ケーシングの前記リード線に近い側壁が前記収容空間から離れる方向へ延在して支持プラットホームを形成し、前記回路板が全体的に前記支持プラットホームの表面に設置され、前記リード線が前記支持プラットホームまで延在して前記回路板に電気的に接続されている。
【０００７】
本発明に提供される振動モーターの好ましい実施例において、前記リード線は、前記支持プラットホームが設けられている側壁に密着して設置されると共に、前記回路板の表面にスポット溶接されている。
【０００８】
本発明に提供される振動モーターの好ましい実施例において、前記磁石鋼アッセンブリは、第一の磁石鋼セットと、前記第一の磁石鋼セットを収容するための第一の重量ブロックと、第二の磁石鋼セットと、前記第二の磁石鋼セットを収容するための第二の重量ブロックとを含み、前記第一の重量ブロックには凹溝が設けられ、前記凹溝は底部と前記底部の両側から延在している側壁とを有し、前記凹溝の底部に第一の貫通孔が形成され、前記第一の磁石鋼セットは、前記第一の貫通孔内に設置され、前記第二の重量ブロックは、前記凹溝の両側壁の間に嵌設され、前記第二の重量ブロックと前記凹溝の底部との間に一定の距離が置かれ、且つ第二の貫通孔が形成され、前記第二の磁石鋼セットは、前記第二の貫通孔内に設置されている。
【０００９】
本発明に提供される振動モーターの好ましい実施例において、前記コイルは、前記第一の重量ブロックと第二の重量ブロックとの間に設置され、且つそれぞれが前記第一の磁石鋼セット及び第二の磁石鋼セットと対向して間隔を置いて設置されている。
【００１０】
本発明に提供される振動モーターの好ましい実施例において、前記第二の重量ブロックの前記コイルのリード線に対応する位置に前記リード線を避けるための回避部が設けられている。
【００１１】
本発明に提供される振動モーターの好ましい実施例において、前記第二の重量ブロックは、それぞれ前記凹溝の両側壁に係合される第一の側辺及び前記２つの第一の側辺に接続されている第二の側辺を有し、前記回避部は、前記リード線の位置に対応する第二の側辺が前記第二の貫通孔の方向へ凹んで形成された凹み部である。
【００１２】
本発明に提供される振動モーターの好ましい実施例において、前記回路板のサイズが前記支持プラットホームのサイズより小さい。
【００１３】
本発明に提供される振動モーターの好ましい実施例において、前記支持プラットホームが前記ケーシングの側壁に直交している。
【００１４】
本発明に提供される振動モーターにおいて、前記主ハウジングは、前記コイルに近い側壁が垂直に前記収容空間から離れる方向へ延在して支持プラットホームを形成する。前記コイルのリード線は、前記コイルにおける前記支持プラットホームに近い一端から引き出し、且つ前記主ハウジングの側壁に密着して設置され、且つ前記リード線が全体的に前記支持プラットホームに貼り付けられている前記回路板にスポット溶接されているため、側壁から回路板を引き出すという設計要望に満たし、且つ構成が簡単で、加工されやすく、実用性が高い。
【００１５】
本発明の実施例における技術的解決手段をより明確に説明するために、以下は実施例の説明に必要な図面について簡単に紹介する。明らかに、以下の説明に利用される図面は、本発明の幾つかの実施例に過ぎなく、当業者にとっては、創造的な労働をしないことを前提としたとしても、これらの図面からその他の図面を想到することができる。そのうち、
【図面の簡単な説明】
【００１６】
【図１】本発明に提供される振動モーターの好ましい実施例の斜視分解模式図である。
【図２】図１に示される振動モーターの蓋板が取り外された取付平面図である。
【発明を実施するための形態】
【００１７】
以下は本発明の実施例の図面を参照しながら本発明の実施例における技術的解決手段を詳しく統合的に説明する。もちろん、説明の実施例は本発明の一部の実施例に過ぎなく、全部の実施例ではない。本発明における実施例に基づいて、当業者は、創造的な労働をしないことを前提として得られた全ての他の実施例はすべて本発明の保護範囲に含まれる。
【００１８】
図１及び図２を参照し、図１は、本発明に提供される振動モーターの好ましい実施例の斜視分解模式図であり、図２は、図１に示される振動モーターの蓋板が取り外された後の取付正面図である。前記振動モーター１００は、固定部材及び振動部材を備える。
【００１９】
前記固定部材は、ケーシング１、コイル２及回路板３を含む。前記ケーシング１は、収容空間を有し、前記コイル２が前記収容空間内に収容され、前記回路板３は、前記ケーシング１の表面に設置される。なお、前記コイル２は、前記回路板３によって外部回路に接続されることにより電気信号の入力を実現することができる。
【００２０】
具体的に、前記ケーシング１は、主ハウジング１１及び前記主ハウジング１１にカバーして接続される蓋板１３を含む。前記収容空間は前記主ハウジング１１と前記蓋板１３とによって囲まれ形成されている。前記主ハウジング１１は、底板１１１及び前記底板１１１に直交している４つの側壁１１３を備える。前記主ハウジング１１は、前記コイル２に近い側壁１１３が垂直に前記収容空間から離れる方向へ延在して、支持プラットホーム１１３１を形成する。前記支持プラットホーム１１３１は、全体的に方形の構造を成し、前記回路板３を支持している。
【００２１】
前記コイルアッセンブリ２は、コイル２１及び前記コイル２１を支持するためのコイル架台２３を備える。前記コイル２１は、リード線２１１を備え、前記リード線２１１は、前記支持プラットホーム１１３１まで延在して前記回路板３に電気的に接続されている。具体的に、前記リード線２１１は、前記コイル２１における前記支持プラットホーム１１３１に近い一端から引き出し、且つ前記支持プラットホーム１１３１が形成されている側壁１１３に密着して設置されると共に、前記回路板３の表面にスポット溶接されている。前記コイル架台２３は、前記コイル架台２３の縁部から延在して形成されている複数の支持脚２３１を備え、前記複数の支持脚２３１によって支持される。前記コイル架台２３は、前記支持脚２３１によって前記主ハウジング１１の底板１１１の表面に固定されている。好ましくは、前記支持脚２３１は、前記底板１１１の表面に溶接固定されている。
【００２２】
前記回路板３は、普通の回路板であり、その全体は前記支持プラットホーム１１３１の表面に設置されている。前記回路板３の形状は全体的に前記支持プラットホーム１１３１と同様であり、且つ前記回路板３のサイズが前記支持プラットホーム１１３１のサイズより小さい。
【００２３】
前記振動部材は、前記ケーシング１の収容空間内に収容され、且つ前記振動部材は、磁石鋼アッセンブリ４、極コア５及び弾性のコネクター６を含む。そのうち、前記極コア５が前記磁石鋼アッセンブリ４の表面に設置され、且つ前記磁石鋼アッセンブリ件４が、前記弾性のコネクター６によって囲まれる空間内に片持ちで支持されている。
【００２４】
前記磁石鋼アッセンブリ４は、対向して設置されている第一の磁石鋼アッセンブリ４１及び第二の磁石鋼アッセンブリ４３を含む。前記第一の磁石鋼アッセンブリ４１は、第一の重量ブロック４１１及び前記第一の重量ブロック４１１内に収容されている第一の磁石鋼セット４１３を含む。そして、前記第一の重量ブロック４１１には凹溝が設けられ、前記凹溝４１１１は底部４１１３及び前記底部４１１３の両側から屈曲して延在している側壁４１１５を備える。前記底部４１１３に前記底部４１１３を通り抜ける第一の貫通孔４１１７が設けられている。前記第一の磁石鋼セット４１３が前記第一の貫通孔４１１７内に設置されている。
【００２５】
前記第二の磁石鋼アッセンブリ４３は、第二の重量ブロック４３１及び前記第二の重量ブロック４３１内に収容されている第二の磁石鋼セット４３３を含む。そのうち、前記第二の重量ブロック４３１に、前記第二の磁石鋼セット４３３を収容するための第二の貫通孔４３１１が形成されている。第二の貫通孔４３１１は前記第二の重量ブロック４３１を通り抜けている。なお、前記第二の重量ブロック４３１は、それぞれ前記凹溝４１１１の両側壁４１１５に係合される第一の側辺４３１５と、二つの前記第一の側辺４３１５に接続されている第二の側辺４３１７とを有する。
【００２６】
前記磁石鋼アッセンブリ４において、前記第二の重量ブロック４３１が前記第一の重量ブロック４１１の凹溝４１１１の両側壁４１１５の間に嵌め設けられ、且つ前記凹溝４１１１の底部４１１３とは一定の距離を置いている。以上から分かるように、前記第一の磁石鋼セット４１３及び前記第二の磁石鋼セット４３３は対向して間隔を置いて設置されている。
【００２７】
本実施例において、前記コイルアッセンブリ２のコイル架台２３によって前記コイル２１が片持ちで前記第一の磁石鋼アッセンブリ４１と第二の磁石鋼アッセンブリ４３との間に支持されている。即ち、前記コイル２１は前記コイル架台２３によって前記第一の重量ブロック４１１と前記第二の重量ブロック４３１の底部の間にある隙間内に位置するように支持されており、且つ前記第一の磁石鋼セット４１３及び第二の磁石鋼セット４３３に対向して間隔を置いて設置されている。
【００２８】
さらに、振動及び落下の過程で前記コイル２１のリード線２１１を守るために、前記第二の重量ブロック４３１における前記コイル２１のリード線２１１に対応する位置には前記リード線２１１を避けるための回避部４３１３が設けられている。具体的に、前記回避部４３１３は、前記リード線２１１の位置に対応する第二の側辺４３１７の前記第二の貫通孔４３１１方向へ凹んだ凹み部である。
【００２９】
前記極コア５は磁気伝導材料で作られる。本実施例において、前記極コア５は、２つが設置され、それぞれは、前記磁石鋼アッセンブリ４の底面と天井面に設置されている。前記極コア５によって有効に磁界を遮断することができるため、前記ケーシング１の表面に磁界の強さが弱くなり、製品の磁気漏れが低下する。
【００３０】
前記弾性のコネクター６は、第一の接続部６１、第二の接続部６３及び前記第一の接続部６１と前記第二の接続部６３とを接続する第三の接続部６５を含む。前記弾性のコネクター６は、前記第一の接続部６１及び前記第二の接続部６３によってそれぞれ前記ケーシング１及び前記第一の重量ブロック４１１に接続されている。なお、前記第三の接続部６５と前記ケーシング１とは間隔を置いて設置されている。前記弾性のコネクター６による接続の安定性を向上させるために、前記第一の接続部６１及び／又は前記第二の接続部６３の表面にガスケット６７が設けられている。
【００３１】
さらに、前記振動モーター１００は、減衰部品７及びストッパー８をさらに含んでも良い。前記減衰部品７は、前記第三の接続部６５と前記磁石鋼アッセンブリ４との間に設置され、前記ストッパー８は、前記弾性のコネクター６と前記主ハウジング１１との間に設置されると共に、前記底板１１１の表面に固定されている。前記減衰部品７は弾性変形が可能であり、前記磁石鋼アッセンブリ４と前記弾性のコネクター６との間の相対動作に対してクッションをすることにより、衝撃で前記振動モーター１００が失効となってしまうことを防止することができる。前記ストッパー８によって前記弾性のコネクター６と前記主ハウジング１１との間の衝撃を制限することもできる。
【００３２】
その他の代替実施例において、前記コイルアッセンブリ２と前記磁石鋼アッセンブリ４とを入れ替えても良く、例えば、前記コイルアッセンブリ２を前記振動部材の一部として形成してもよく、前記磁石鋼アッセンブリ４を前記固定部材の一部として形成してもよい。
【００３３】
本発明に提供される振動モーター１００において、前記主ハウジング１１は、前記コイル２に近い側壁１１３が垂直に前記収容空間から離れる方向へ延在して支持プラットホーム１１３１を形成する。前記コイル２１のリード線２１１は、前記コイル２１における前記支持プラットホーム１１３１に近い一端から引き出し、且つ前記主ハウジング１１の側壁１１３に密着して設置され、且つ前記リード線２１１が全体的に前記支持プラットホーム１１３１に貼り付けられている前記回路板３にスポット溶接されているため、側壁から前記回路板３を引き出すという設計要望に満たし、且つ構成が簡単であり、加工しやすくなり、実用性も高い。
【００３４】
上述説明したのは、本発明の実施例であり、本発明の特許範囲を限定するものではなく、本発明の明細書及び図面の内容を用いて実現した等価構成又は等価変換フロー、又は他の関連する技術分野における直接又は間接的な運用は、全て同様に本発明の特許保護範囲内に含まれる。
【図１】
2017022962.tif 000003
【図２】
2017022962.tif 000004